(57)【要約】【課題】建物全体の高さを抑えて建設コストを低減でき、居室および収納スペースを有効に配置できる建物を提供すること。【解決手段】特定フロアと、この特定フロアの直上に位置する直上フロアとは、それらの一部に設けられた中間床３０，４０と、この中間床３０，４０の下側に形成された中間床下側空間３１，３２，４１と、中間床３０，４０の上側に形成された中間床上側空間３２，４２とを備え、特定フロアの中間床上側空間の少なくとも一部と、直上フロアの中間床下側空間の少なくとも一部とが連通された吹き抜け空間３２が構成されることにより、建物１全体の高さが高くならないので建設コストの増加を防止しながら、各々の空間を居室や収納スペースとして有効に利用できる。【選択図】　図２
2004044210.tif 000002
【特許請求の範囲】
【請求項１】
少なくとも１つの特定フロアと、この特定フロアの直上に位置する直上フロアとを有する建物であって、
前記特定フロアおよび前記直上フロアは、それらの一部に設けられた中間床と、この中間床の下側に形成された中間床下側空間と、当該中間床の上側に形成された中間床上側空間とを備え、
前記特定フロアの中間床上側空間の少なくとも一部と、前記直上フロアの中間床下側空間の少なくとも一部とが連通された吹き抜け空間が構成されていることを特徴とする建物。
【請求項２】
請求項１に記載の建物において、
前記特定フロアの中間床下側空間と、前記直上フロアの中間床下側空間のうち、前記吹き抜け空間を構成しない中間床下側空間とは、各々収納空間とされていることを特徴とする建物。
【請求項３】
請求項２に記載の建物において、
前記収納空間の床面と、前記特定フロアおよび前記直上フロアの床面とは、段差が無く互いに連続して形成されていることを特徴とする建物。
【請求項４】
請求項２または請求項３に記載の建物において、
前記収納空間の天井高は、１．０ｍ〜１．４ｍとされ、
前記吹き抜け空間は、中間居室空間とされ、この中間居室空間の天井高は、２．１ｍ〜２．６ｍとされていることを特徴とする建物。
【請求項５】
請求項１ないし請求項４のいずれかに記載の建物において、前記特定フロアから前記直上フロアまで達する階段が前記吹き抜け空間に隣接して設けられ、
前記階段の踊り場に面して前記吹き抜け空間の出入り口が設けられていることを特徴とする建物。
【請求項６】
請求項１ないし請求項５のいずれかに記載の建物において、前記直上フロアの中間床上側空間は、小屋裏収納空間、上部居室空間およびバルコニ空間のうち、少なくとも１つとされていることを特徴とする建物。
【発明の詳細な説明】
【０００１】
【発明の属する技術分野】
本発明は、建物に係り、特にスキップフロアを備えた建物に関する。
【０００２】
【背景技術】
従来、住宅等において物品を保管、収容する場所として、建物内部には押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれている。
【０００３】
内部に大きな収納スペースを備える建物として、３階建ての建物の２階部分を収納階とし、この収納階に至る階段を設け、この階段の踊り場に面して収納室の出入り口が設けられた収納付き建物が提案されている（従来例１）。
このような収納付き建物では、収納階を大きな収納スペースとして有効に活用できるとともに、階段の踊り場から収納室に出入りできるので、物品の搬入、搬出を円滑にできる。
【０００４】
また、従来例１の建物とは異なる収納付き建物として、上下に収納スペースおよび居室が積層された構造体同士を、水平方向にかつ段違い状に隣接配置したスキップフロアを備えた建物が提案されている（従来例２：特許第２９１２７９７号公報）。
このようなスキップフロア型建物では、収納スペースと水平方向に隣接して居室が配置されるため、収納スペースの出し入れ口を隣接する居室に開口することで、居室から水平方向に物品を搬入、搬出することができ、作業が容易になるという効果を奏する。
【０００５】
【発明が解決しようとする課題】
しかし、上述した従来例１の収納付き建物では、３階建ての２階部分を収納スペースとしているため、収納スペースの天井高さに床の厚さ等が加えられることを考慮すると、通常の２階建ての建物と比較して、建物全体の高さが高くなってしまう。
また、従来例２のスキップフロア型建物においても、段違い状の上側に隣接配置した構造体の側では、通常の２階建ての建物よりも、段違いの高さ寸法だけ建物全体の高さが高くなってしまう。
従って、従来例１および従来例２の建物では、居室として利用できる階の床面積は、通常の２階建ての建物と同程度でありながら、建物全体の高さが高くなることで建設コストが増加するという問題がある。
【０００６】
本発明の目的は、建物全体の高さを抑えて建設コストを低減でき、居室および収納スペースを有効に配置できる建物を提供することにある。
【０００７】
【課題を解決するための手段】
上記目的を達成するため、本発明の建物は、次の構成を採用する。
本発明を図面を参照して説明すると、請求項１に記載の建物１は、少なくとも１つの特定フロアと、この特定フロアの直上に位置する直上フロアとを有する建物であって、前記特定フロアおよび前記直上フロアは、それらの一部に設けられた中間床３０，４０と、この中間床の下側に形成された中間床下側空間３１，３２，４１と、当該中間床の上側に形成された中間床上側空間３２，４２とを備え、前記特定フロアの中間床上側空間の少なくとも一部と、前記直上フロアの中間床下側空間の少なくとも一部とが連通された吹き抜け空間３２が構成されていることを特徴とする。
【０００８】
なお、ここで、「特定フロア」および「直上フロア」とは、それぞれ建物の所定の階を意味し、例えば特定フロアを建物の１階とすれば、直上フロアは建物の２階を意味する。すなわち、本発明の建物は、少なくとも２階以上の複数階を備えた建物であって、例えば３階建ての建物において、特定フロアを建物の２階とすれば、直上フロアは建物の３階を意味し、また、特定フロアを建物の１階および２階とすれば、直上フロアは建物の２階および３階を意味する。
【０００９】
この発明によれば、特定フロアおよび直上フロアそれぞれを中間床で高さ方向に区切り、中間床下側空間および中間床上側空間を形成することによって、建物全体の高さが高くなることなく、各々の空間を居室や収納スペースとして有効に利用できる。従って、建物全体の高さが抑えられ、建設コストの増加を防止できる。また、特定フロアの中間床上側空間と、直上フロアの中間床下側空間とが連通され、吹き抜け空間が形成されることによって、この吹き抜け空間を居室として利用するのに十分な天井高さを確保できる。
【００１０】
請求項２に記載の建物は、請求項１に記載の建物において、前記特定フロアの中間床下側空間３１と、前記直上フロアの中間床下側空間のうち、前記吹き抜け空間を構成しない中間床下側空間４１とは、各々収納空間とされていることを特徴とする。
この発明によれば、特定フロアおよび直上フロアの中間床下側空間を収納空間とすることによって、各フロアに収納空間を設けることができ、建物内部に設けられる収納スペースの大きさを十分に確保できる。
【００１１】
請求項３に記載の建物は、請求項２に記載の建物において、前記収納空間の床１０Ａ，２０Ａ面と、前記特定フロアおよび前記直上フロアの床１０，２０面とは、段差が無く互いに連続して形成されていることを特徴とする。
この発明によれば、各フロアの床面と収納空間の床面とが段差なく連続しているので、収納空間に物品を搬入、搬出する作業が容易にできる。すなわち、前述の従来例２のスキップフロア型建物では、収納スペースの床面と居室の床面とが必ずしも連続するものではなく、段差のある場合に重い物品の出し入れに手間が掛かるという問題を有しており、本発明によりこの問題を解決できる。
【００１２】
請求項４に記載の建物は、請求項２または請求項３に記載の建物において、前記収納空間の天井高Ｈ１は、１．０ｍ〜１．４ｍとされ、前記吹き抜け空間は、中間居室空間とされ、この中間居室空間の天井高Ｈ２は、２．１ｍ〜２．６ｍとされていることを特徴とする。
この発明によれば、収納空間の天井高を１．０ｍ以上とすることで、大人が屈んで出入りできる高さを確保し、かつ、天井高を１．４ｍ以下とすることで、収納容量を大きくしながら収納空間の上方の空間を圧迫せず、建物全体の高さを抑えることができる。また、中間居室空間の天井高を２．１ｍ以上とすることで、通常の生活に支障がない高さを確保でき、かつ、天井高を２．６ｍ以下とすることで、建物全体の高さを抑えながら中間居室空間上方の中間床上側空間を有効利用できる。
【００１３】
請求項５に記載の建物は、請求項１ないし請求項４のいずれかに記載の建物において、前記特定フロアから前記直上フロアまで達する階段１６が前記吹き抜け空間に隣接して設けられ、前記階段の踊り場１６Ａに面して前記吹き抜け空間の出入り口３２Ａが設けられていることを特徴とする。
この発明によれば、特定フロアと直上フロアとのフロア間を昇降するために設けられる階段の踊り場から吹き抜け空間に出入りできるので、別途特定フロアおよび直上フロアから吹き抜け空間までの階段やはしご等を設ける必要がなく、建物内の空間を有効利用できるとともに、建設コストを低減できる。
【００１４】
請求項６に記載の建物は、請求項１ないし請求項５のいずれかに記載の建物において、前記直上フロアの中間床上側空間は、小屋裏収納空間４２、上部居室空間５２およびバルコニ空間６２のうち、少なくとも１つとされていることを特徴とする。
この発明によれば、直上フロアの中間床上側空間を小屋裏収納空間や上部居室空間、バルコニ空間とすることによって、中間床で区切られた上方を収納スペースや居室、またはルーフバルコニとして利用でき、さらに一層、各空間の有効利用を図ることができる。
【００１５】
【発明の実施の形態】
以下、本発明の実施形態を図面に基づいて詳しく説明する。なお、以下の説明にあたって、同一構成要件については、同一符号を付し、その説明を省略もしくは簡略化する。
図１ないし図３には、本発明の第１実施形態に係る建物としての住宅１が示され、図４、５には、本発明の第２実施形態に係る建物としての住宅５０が示されている。そして、図６（Ａ），（Ｂ）にはそれぞれ、本発明の第３実施形態および第４実施形態に係る建物としての住宅６０，７０が示されている。
【００１６】
〔第１実施形態〕
本発明の第１実施形態について説明する。図１は、住宅１の全体を示す斜視図であり、図２は、その断面図、図３（Ａ）〜（Ｄ）は、その各高さ位置における平面図である。すなわち、図２は、図３（Ａ）〜（Ｄ）に示す矢視ＩＩ−ＩＩ線断面図であり、図３（Ａ）〜（Ｄ）は、図２の矢視ＩＩＩＡ−ＩＩＩＡ線、ＩＩＩＢ−ＩＩＩＢ線、ＩＩＩＣ−ＩＩＩＣ線、およびＩＩＩＤ−ＩＩＩＤ線でそれぞれ示す高さ位置における平面図である。
【００１７】
図１ないし図３において、住宅１は、基礎２の上に建物本体３が固定され、この建物本体３の上方が屋根４で覆われた２階建ての戸建て住宅である。建物本体３は、木質パネル工法やユニット工法等のプレハブ工法、木造軸組工法、鉄骨軸組工法等、設計条件に応じて適宜選択された構造および工法により構築される。そして、建物本体３には、外壁３Ａによって外部と区画された内部空間を内床３Ｃで上下に区切ったフロア（階）が形成され、さらに各フロアを内壁３Ｂや図示しない間仕切壁等で区切ることで生活空間としての居室や廊下、ホール等が形成されている。
【００１８】
図３（Ａ）に示す住宅１の１階部分には、図中下方右側にリビングルーム１１、その図中上方にキッチン１２、その図中左側に廊下１３および玄関ホール１４がそれぞれ設けられ、玄関ホール１４の図中下方には、洗面所や浴室等を有する水場居室１５が設けられている。そして、玄関ホール１４と水場居室１５との間には、２階へ通じる階段１６が設けられている。
図３（Ｃ）に示す住宅１の２階部分には、階段１６と連続して２階ホール２４が設けられ、この２階ホール２４の図中左側に主寝室２１が設けられ、２階ホール２４の図中右側に副寝室２２，２３が図中上下に並んで設けられている。
【００１９】
住宅１の特定フロアとしての１階部分において、リビングルーム１１と水場居室１５との間には、図２に示すように、中間床としての１階中間床３０が設けられている。また、直上フロアとしての２階部分において、主寝室２１と副寝室２３との間にも同様に、中間床としての２階中間床４０が設けられている。これらの１階中間床３０および２階中間床４０は、内床３Ｃと同等の床荷重を支持できる程度の強度を有し、外壁３Ａや内壁３Ｂ、または図示しない支持部材によって支持されている。すなわち、住宅１は、１階中間床３０および２階中間床４０により中間フロアが形成された、スキップフロアを備える建物である。
【００２０】
１階中間床３０の下側には、中間床下側空間としての収納空間３１が設けられ、その出入り口３１Ａを玄関ホール１４に開口している。また、１階中間床３０と２階中間床４０との間には、１階中間床３０の中間床上側空間の一部と２階中間床４０の中間床下側空間の一部とが連通された吹き抜け空間が設けられ、この吹き抜け空間、すなわち中間居室空間３２は、生活空間として使用される。中間居室空間３２の出入り口３２Ａは、１階から２階に通じる階段１６の踊り場１６Ａに面して設けられている。階段１６および踊り場１６Ａを挟んで中間居室空間３２の向かい側には、収納室３３が１階中間床３０の上に設けられている。
【００２１】
２階中間床４０の下側で、中間居室空間３２と副寝室２３との間には、中間床下側空間としての収納空間４１が設けられている。この収納空間４１の出入り口４１Ａは２階ホール２４に開口して設けられている。また、２階中間床４０の上側で屋根４との間には、中間床上側空間としての小屋裏収納空間４２が設けられ、この小屋裏収納空間４２に通じる階段２６が２階ホール２４と連続して設けられている。
【００２２】
収納空間３１，４１の床である収納空間床１０Ａ，２０Ａと、１階の居室床１０および２階の居室床２０とは、それぞれのフロアにおいて互いの床面に段差が無く、互いに連続して形成されている。収納空間床１０Ａ，２０Ａの床上面と１階中間床３０および２階中間床４０の下面との間の距離、すなわち、収納空間３１，４１の天井高Ｈ１は、本実施形態において、１．０ｍ〜１．４ｍの範囲に設定されている。また、１階中間床３０の上面と２階中間床４０の下面との距離、すなわち、中間居室空間３２の天井高Ｈ２は、２．１ｍ〜２．６ｍの範囲に設定されている。
【００２３】
従って、本実施形態によれば、次のような効果が得られる。
（１）住宅１の１階部分および２階部分のそれぞれに１階中間床３０および２階中間床４０を設け、各フロアを上下に区切り、１階中間床３０および２階中間床４０の下側に収納空間３１，４１を設け、１階中間床３０および２階中間床４０の間に中間居室空間３２を設けることによって、大きな収納スペースを備えながら居室として利用できる空間をも確保できるので、建物内空間を有効に利用できるとともに、住宅１の高さが通常の２階建ての建物と同程度に抑えられ、建設コストの増加を防止できる。
【００２４】
（２）１階中間床３０および２階中間床４０の間の吹き抜け空間を中間居室空間３２とすることによって、居室として利用するのに十分な天井高さ、具体的には２．１ｍ〜２．６ｍの天井高Ｈ２を確保でき、この中間居室空間３２を生活空間として快適に利用することができる。
【００２５】
（３）１階の居室床１０および２階の居室床２０と、収納空間床１０Ａ，２０Ａとが段差なく連続しているので、収納空間３１，４１に物品を搬入、搬出する作業が容易にできる。すなわち、従来の収納スペースの床面と居室の床面とが必ずしも連続せず、段差があるスキップフロア型建物が有している重い物品の出し入れに手間が掛かるという問題を解決できる。
【００２６】
（４）収納空間３１，４１の天井高Ｈ１を１．０ｍ以上とすることで、大人が屈んで出入りできる高さを確保し、かつ、天井高Ｈ１を１．４ｍ以下とすることで、収納容量を大きくしながら収納空間３１，４１の上方の空間を圧迫せず、住宅１の高さを抑えることができる。
【００２７】
（５）中間居室空間３２の天井高Ｈ２を２．１ｍ以上とすることで、通常の生活に支障がない天井高さを確保でき、また、天井高を２．６ｍ以下とすることによって、住宅１の高さを抑えながら中間居室空間３２の上方に設けられた２階中間床４０の上側空間も利用することができるので、さらに空間を有効利用できる。
【００２８】
（６）住宅１の１階と２階との間を昇降するために設けられる階段１６の踊り場１６Ａから中間居室空間３２に出入りできるので、別途１階部分あるいは２階部分から中間居室空間３２に通じる階段やはしご等を設ける必要がなく、建物内空間を有効利用できるとともに、建設コストを低減できる。
【００２９】
（７）２階中間床４０の上側に小屋裏収納空間４２を設けることによって、２階中間床４０で区切られた上方を収納スペースとして利用でき、さらに一層、建物内空間の有効利用を図ることができる。
【００３０】
〔第２実施形態〕
次に、本発明の第２実施形態について説明する。図４は、第２実施形態に係る建物としての住宅５０の全体を示す斜視図であり、図５は、その断面図である。図４、５において、住宅５０は、２階中間床４０の上側空間の用途、形状が前述の第１実施形態の場合と異なるもので、その他の構成は、第１実施形態と同様である。すなわち、住宅５０の２階中間床４０の上側空間を上部居室空間５２として利用する点が第１実施形態との相違点である。
【００３１】
住宅５０の構造および各フロアの平面構成は、前述の第１実施形態と同様に、特定フロアとしての１階部分において、リビングルーム１１と水場居室１５との間に１階中間床３０が設けられ、直上フロアとしての２階部分において、主寝室２１と副寝室２３との間に２階中間床４０が設けられている。２階中間床４０の上側には、中間床上側空間としての上部居室空間５２が設けられ、この上部居室空間５２と２階ホール２４とは階段２６で通じている。上部居室空間５２の天井高Ｈ３は、最も低いところで２．１ｍ以上に設定されている。
【００３２】
また、住宅５０の屋根は、互いに略同一の傾斜を有する２種類の屋根４Ａ，４Ｂから構成され、屋根４Ａは２階部分の主寝室２１および副寝室２２，２３の上方を覆い、屋根４Ｂは上部居室空間５２および２階ホール２４の上方を覆っている。なお、屋根４Ａ，４Ｂは、互いに異なる傾斜を有し、かつ、互いに屋根面を連続して形成されたものでもよい。すなわち、屋根４Ａを屋根４Ｂよりも急な傾斜とし、互いの屋根面が連続するように形成することができる。
【００３３】
従って、本実施形態によれば、前述の（１）〜（６）の効果に加えて、次のような効果が得られる。
（８）２階中間床４０の上側空間に上部居室空間５２を設けることによって、生活空間として利用可能な居室空間を多く確保でき、建物内空間を有効に利用できる。
【００３４】
（９）上部居室空間５２の天井高Ｈ２を最も低いところで２．１ｍ以上に設定することで、通常の生活に支障がない天井高さを確保できる。
【００３５】
〔第３実施形態〕
次に、本発明の第３実施形態について説明する。図６（Ａ）は、第３実施形態に係る建物としての住宅６０の概略を示す断面図である。
図６（Ａ）において、住宅６０は、２階中間床４０の上側空間の用途、形状が前述の第１実施形態の場合と異なるもので、その他の構成は、第１実施形態と同様である。すなわち、住宅６０の２階中間床４０の上側空間をバルコニ空間として利用する点が第１実施形態との相違点である。
【００３６】
図６（Ａ）に簡略化して示されている住宅６０の構造は、前述の第１実施形態と同様に、特定フロアとしての１階部分において、リビングルーム１１と隣接して１階中間床３０が設けられ、直上フロアとしての２階部分において、主寝室２１と隣接して２階中間床４０が設けられている。２階中間床４０の上側には、バルコニ空間としてのルーフバルコニ６２が設けられている。ルーフバルコニ６２は、その上方の屋根４に開口が設けられて屋外に開放され、適宜手摺り壁等によって囲まれている。また、ルーフバルコニ６２の床である２階中間床４０には、図示しない防水構造および排水設備が設けられている。
【００３７】
従って、本実施形態によれば、前述の（１）〜（６）の効果に加えて、次のような効果が得られる。
（１０）２階中間床４０の上側空間をルーフバルコニ６２として利用することで、別途他のバルコニを設ける必要がなく、また、片持ち形式のバルコニを別途取り付ける場合と比較して、現場施工の効率化が図れ、部材数を削減することができるとともに、一体感と統一感を備えた良好な住宅６０の外観を実現できる。
【００３８】
〔第４実施形態〕
次に、本発明の第４実施形態について説明する。図６（Ｂ）は、第４実施形態に係る建物としての住宅７０の概略を示す断面図である。
図６（Ｂ）において、住宅７０は、前述の第２実施形態の場合と同様の構成を備え、２階中間床４０の上側空間を上部居室空間７２として利用可能とされている。第２実施形態との相違点は、２階部分の居室の上方に小屋裏収納室７３を設けた点である。
【００３９】
図６（Ｂ）に簡略化して示されている住宅７０の構造は、前述の第２実施形態と同様に、特定フロアとしての１階部分において、リビングルーム１１と隣接して１階中間床３０が設けられ、直上フロアとしての２階部分において、主寝室２１と隣接して２階中間床４０が設けられている。２階中間床４０の上側には、上部居室空間７２が設けられている。また、２階部分の居室である主寝室２１の上方で屋根４との間には、小屋裏収納室７３が設けられ、上部居室空間７２側に小屋裏収納室７３の出入り口７３Ａが開口している。
【００４０】
従って、本実施形態によれば、前述の第２実施形態の効果に加えて、次のような効果が得られる。
（１１）２階中間床４０の上側空間を上部居室空間７２として利用するとともに、２階部分の居室の上方に小屋裏収納室７３を設けることによって、居室として利用できる空間を確保しながら大きな収納スペースを備えることができるので、建物内空間を有効に利用できる。
【００４１】
なお、本発明は前記実施形態に限定されるものではなく、本発明の目的を達成できる範囲での変形、改良等は本発明に含まれるものである。
例えば、前述の各実施形態では、建物を住宅１，５０，６０，７０としたが、これに限らず、事務所用や店舗用に建築される建物等でもよい。また、住宅１，５０，６０，７０を２階建てとしたが、これに限らず、３階建てやそれ以上の階数を備える建物でもよく、その際、２階部分やそれ以上の階を特定フロアとし、その直上階を直上フロアとしてもよい。
【００４２】
また、前述の各実施形態では、１階中間床３０の中間床上側空間の一部と２階中間床４０の中間床下側空間の一部とが連通された吹き抜け空間を設けたが、これに限らず、特定フロアの中間床上側空間の一部と直上フロアの中間床下側空間の全部とが連通されて、吹き抜け空間を形成するものでもよく、また、特定フロアの中間床上側空間の全部と直上フロアの中間床下側空間の一部とが連通されて、吹き抜け空間を形成するものでもよい。
【００４３】
このような特定フロアの中間床上側空間の全部と直上フロアの中間床下側空間の一部とが連通されて、吹き抜け空間が形成された建物として、例えば、図７（Ａ）〜（Ｄ）に示す住宅８０では、特定フロアとしての１階部分に設けられた中間床の上側空間の全部と、直上フロアとしての２階部分に設けられた中間床の下側空間の一部とが連通されて、吹き抜け空間としての中間居室空間３２が形成されている。
【００４４】
すなわち、１階部分の中間床は、図７（Ａ）に示す収納空間３１の上方に配置されており、この１階部分の中間床の上側空間の全てが、吹き抜け空間として図７（Ｂ）に示す中間居室空間３２とされている。そして、図７（Ｄ）に示す上部居室空間８３，８４の床は、２階部分の中間床で構成されており、この２階部分の中間床の下側空間の一部が吹き抜け空間としての中間居室空間３２とされ、他の一部が図７（Ｃ）に示す収納空間４１とされている。また、住宅８０では、１階から２階まで通じる階段１６とは別に、１階から中間居室空間３２まで通じる階段８１および、２階から上部居室空間８３，８４まで通じる階段８２が設けられている。
【００４５】
以上のような住宅８０では、１階部分の中間床の上側空間全部を吹き抜け空間としての中間居室空間３２とすることによって、当該部分の内壁３Ｂが１階から２階まで同一平面位置に配置されるので、耐力壁等として有効な内壁の配置とすることができる。また、中間居室空間３２に通じる階段８１および上部居室空間８３，８４に通じる階段８２を別途設けたことによって、中間居室空間３２および上部居室空間８３，８４の独立性を高めることができ、建物内空間の居室配置に関する設計の自由度を高めることができる。
【００４６】
また、前述の各実施形態では、１階中間床３０および２階中間床４０は各フロアに１箇所ずつ設けたが、複数箇所に設けてもよい。
例えば、図８（Ａ）〜（Ｄ）に示す住宅９０では、直上フロアとしての２階部分に、中間床が２箇所設けられ、それぞれの中間床の上部空間が図８（Ｄ）に示す上部居室空間９１，９２とされている。
すなわち、図８（Ａ）に示す収納空間３１の上方に１階部分の中間床が配置され、この１階部分の中間床の上側空間の全てが吹き抜け空間として図８（Ｂ）に示す中間居室空間３２とされている。そして、図８（Ｃ）に示す収納空間４１の上方に２階部分の中間床が配置され、また、中間居室空間３２の上方にも２階部分の中間床が配置され、それぞれの２階部分の中間床の上部空間が、図８（Ｄ）に示す上部居室空間９１，９２とされている。このような住宅９０では、各フロアに適宜必要な数の中間床を設けることによって、建物内空間の居室配置に関する設計の自由度を高めることができる。
【００４７】
また、前述の各実施形態では、収納空間３１，４１の天井高Ｈ１を１．０ｍ〜１．４ｍの範囲に設定したが、収納空間の天井高は、１．０ｍ〜１．２ｍの範囲であることが望ましい。このような収納空間の天井高とすることで、建物全体の高さを高くすることなく、吹き抜け空間や上部居室空間等の天井高さを高くし、快適な生活空間を得ることができる。さらに、収納空間の天井高は、１．０ｍ〜１．３ｍの範囲とすることもできる。
また、前述の各実施形態では、吹き抜け空間としての中間居室空間３２の天井高Ｈ２を、２．１ｍ〜２．６ｍの範囲に設定したが、吹き抜け空間の天井高は、２．１ｍ〜２．４ｍの範囲であることが望ましい。このような吹き抜け空間の天井高とすることで、吹き抜け空間の上方に小屋裏収納空間や上部居室空間等が設けられても、建物全体の高さが高くならないので、建物内空間を有効利用できるとともに建設コストを低減できる。さらに、吹き抜け空間の天井高は、２．１ｍ〜２．５ｍの範囲とすることもできる。
【００４８】
【発明の効果】
本発明の建物によれば、次のような効果が得られる。
請求項１に記載の建物によれば、特定フロアおよび直上フロアそれぞれを中間床で高さ方向に区切り、中間床下側空間および中間床上側空間を形成することによって、建物全体の高さが高くなることなく、各々の空間を居室や収納スペースとして有効に利用できる。従って、建物全体の高さが抑えられ、建設コストの増加を防止できる。また、特定フロアの中間床上側空間と、直上フロアの中間床下側空間とが連通され、吹き抜け空間が形成されることによって、この吹き抜け空間を居室として利用するのに十分な天井高さを確保できる。
【００４９】
請求項２に記載の建物によれば、特定フロアおよび直上フロアの中間床下側空間を収納空間とすることによって、各フロアに収納空間を設けることができ、建物内部に設けられる収納スペースの大きさを十分に確保できる。
【００５０】
請求項３に記載の建物によれば、各フロアの床面と収納空間の床面とが段差なく連続しているので、収納空間に物品を搬入、搬出する作業が容易にできる。すなわち、前述の従来例２のスキップフロア型建物では、収納スペースの床面と居室の床面とが必ずしも連続するものではなく、段差のある場合に重い物品の出し入れに手間が掛かるという問題を有しており、本発明によりこの問題を解決できる。
【００５１】
請求項４に記載の建物によれば、収納空間の天井高を１．０ｍ以上とすることで、大人が屈んで出入りできる高さを確保し、かつ、天井高を１．４ｍ以下とすることで、収納容量を大きくしながら収納空間の上方の空間を圧迫せず、建物全体の高さを抑えることができる。また、中間居室空間の天井高を２．１ｍ以上とすることで、通常の生活に支障がない高さを確保でき、かつ、天井高を２．６ｍ以下とすることで、建物全体の高さを抑えながら中間居室空間上方の中間床上側空間を有効利用できる。
【００５２】
請求項５に記載の建物によれば、特定フロアと直上フロアとのフロア間を昇降するために設けられる階段の踊り場から吹き抜け空間に出入りできるので、別途特定フロアおよび直上フロアから吹き抜け空間までの階段やはしご等を設ける必要がなく、建物内の空間を有効利用できるとともに、建設コストを低減できる。
【００５３】
請求項６に記載の建物によれば、直上フロアの中間床上側空間を小屋裏収納空間や上部居室空間、バルコニ空間とすることによって、中間床で区切られた上方を収納スペースや居室、またはルーフバルコニとして利用でき、さらに一層、各空間の有効利用を図ることができる。
【図面の簡単な説明】
【図１】本発明の第１実施形態に係る建物を示す斜視図である。
【図２】前記実施形態に係る建物の断面図である。
【図３】（Ａ）〜（Ｄ）は、前記実施形態に係る建物の各高さ位置における平面図である。
【図４】本発明の第２実施形態に係る建物を示す斜視図である。
【図５】前記実施形態に係る建物の断面図である。
【図６】（Ａ）、（Ｂ）は、本発明の第３実施形態および第４実施形態に係る建物を示す概略断面図である。
【図７】（Ａ）〜（Ｄ）は、本発明の変形例を示す平面図である。
【図８】（Ａ）〜（Ｄ）は、本発明の図７とは異なる変形例を示す平面図である。
【符号の説明】
１，５０，６０，７０　　住宅（建物）
１０，２０　　居室床
１０Ａ，２０Ａ　　収納空間床
１６　　階段
１６Ａ　　踊り場
３０，４０　　中間床
３１，４１　　収納空間
３２　　中間居室空間（吹き抜け空間）
３２Ａ　　出入り口
４２　　小屋裏収納空間
５２，７２　　上部居室空間
６２　　ルーフバルコニ（バルコニ空間）
Ｈ１，Ｈ２　　天井高
【図１】
2004044210.tif 000003
【図２】
2004044210.tif 000004
【図３】
2004044210.tif 000005
【図４】
2004044210.tif 000006
【図５】
2004044210.tif 000007
【図６】
2004044210.tif 000008
【図７】
2004044210.tif 000009
【図８】
2004044210.tif 000010